(57)【要約】【課題】  本発明は、防水効果を高めることが可能な押圧操作装置を提供することを目的とする。【解決手段】  ケース１の上面側を覆う前面板５と、ケース１内に収納される回路基板２と、この回路基板２上に取り付けられる押釦スイッチ４と、この押釦スイッチ４と対向して前面板５箇所に設けられる装着孔部７と、この装着孔部７に挿通され回路基板２上の押釦スイッチ４に伝達する操作軸部９を備えた柔軟性を有する押釦操作部材８と、押釦操作部材８の押圧操作側である操作軸部９の周縁から一体に設けられた第１のフランジ部１０と、第１のフランジ部１０より押釦スイッチ４側である操作軸部９の周縁から一体に設けられた第２のフランジ部１１と、第１，第２のフランジ部１０，１１の外郭周縁挟着部１０Ａ，１１Ａ箇所を前面板５に押し付けて挟持する抑え部材１２と、からなることを特徴とする押圧操作装置。【選択図】  図２
2008226469.tif 000002
【特許請求の範囲】
【請求項１】
ケースと、このケースの上面側を覆う前面板と、前記ケース内に収納される回路基板と、この回路基板上に取り付けられる押釦スイッチと、この押釦スイッチと対向して前記前面板箇所に設けられる装着孔部と、この装着孔部に挿通され前記回路基板上の前記押釦スイッチに伝達する操作軸部を備えた柔軟性を有する押釦操作部材と、前記押釦操作部材の押圧操作側である前記操作軸部の周縁から一体に設けられた第１のフランジ部と、前記第１のフランジ部より前記押釦スイッチ側である前記操作軸部の周縁から一体に設けられた第２のフランジ部と、前記第１，第２のフランジ部の外郭周縁挟着部箇所を前記前面板に押し付けて挟持する抑え部材と、からなることを特徴とする押圧操作装置。
【請求項２】
前記第１のフランジ部と前記第２のフランジ部とが重ねて挟持される外郭周縁挟着部箇所の外周を取り巻くように、環状からなる押圧規整部を配設してなることを特徴とする請求項１に記載の押圧操作装置。
【請求項３】
前記押圧規整部は、前記前面板または前記抑え部材の少なくとも一方に設けてなることを特徴とする請求項２に記載の押圧操作装置。
【請求項４】
前記第１，第２のフランジ部の外郭周縁挟着部を挟持する前記前面板箇所および前記抑え部材箇所とにそれぞれ環状突部を設けてなることを特徴とする請求項１から請求項３のいずれかに記載の押圧操作装置。
【請求項５】
前記第１，第２のフランジ部の外郭周縁挟着部箇所にそれぞれ環状リブを設けてなることを特徴とする請求項１から請求項３のいずれかに記載の押圧操作装置。
【発明の詳細な説明】
【技術分野】
【０００１】
本発明は、建設機械などの特殊車輌や水上バイク，スノーモービル，船舶、あるいはオートバイなどの計器装置などに装備され、計器装置のケースなどに設けられた押釦操作部材を指先にて押し圧操作することによって機器を操作するようにした押圧操作装置に関するものである。
【背景技術】
【０００２】
この種の押圧操作装置として、たとえば特許文献１などが知られている。この場合、図７に示すように、ケースａ内の回路基板ｂ上に組み付けられた押釦スイッチｃたとえば時計のリセット時や時間調整時に押圧操作される押釦スイッチｃが配設され、この押釦スイッチｃと対峙するようにケースａたとえば前面パネルａに操作孔ｄを形成し、この操作孔ｄに弾性変形可能なたとえばゴム製の防塵部材からなる押圧操作部材ｅを配置して前記押釦スイッチｃを押圧操作可能に構成している。この押圧操作部材ｅには前面パネルａの操作孔ｄに対して水密に保つためのフランジ部ｆが形成され、このフランジ部ｆと前面パネルａの裏面側との間を接着剤ｇにて塗布することによって密封するようにしている。
【０００３】
ところで、前記押圧操作装置は、使用条件によっては雨水などに晒される箇所に設置されることもあり、時として、前面パネルａの操作孔ｄと押圧操作部材ｅのフランジ部ｆとの間に塗布した接着剤ｇが剥離することがあり、前面パネルａの操作孔ｄと防塵部材である押圧操作部材ｅとの間にて水密に保てなくなることがある。
【０００４】
この点を考慮するものとして、たとえば特許文献２などが知られている。この場合、図８に示すように、前面パネルａと、この前面パネルａの背面側に配置される環状の抑え部材である下部パネルｈとの間に押圧操作部材ｅに設けたフランジ部ｆの周縁部箇所を挟み込むことによって密封保持するようにしている。従って、前面パネルａと下部パネルｈとの間に押圧操作部材ｅに設けたフランジ部ｆの周縁部箇所が密着挟持されているため雨水などの液体が浸入することを防ぐことができるとともに、フランジ部ｆの周縁部箇所を挟み付けて密封保持するようにしているため組み付け作業性も簡易化されるというメリットもある。
【特許文献１】実開平７−４１８９５号公報
【特許文献２】実公平４−３３６１４号公報
【発明の開示】
【発明が解決しようとする課題】
【０００５】
しかしながら、前述した特許文献１や特許文献２などからなるこの種の押圧操作装置にあっては、ゴム製のフランジ部ｆが直接外部側に晒されているため徐々に劣化して亀裂が入ってしまうことがある。一旦、フランジ部ｆ箇所に亀裂が生じてしまうと水密状態を保つことができなくなってしまい、雨水などの液体が浸入してしまうという虞があり、この場合にあっては防塵・防水用の合成ゴムからなる押圧操作部材ｅの部品交換を行う必要がある。
【０００６】
本発明は前述した問題点に着目し、防水効果を高めることが可能な押圧操作装置を提供することを目的とする。
【課題を解決するための手段】
【０００７】
本発明は前述した課題を解決するため、請求項１では、ケースと、このケースの上面側を覆う前面板と、前記ケース内に収納される回路基板と、この回路基板上に取り付けられる押釦スイッチと、この押釦スイッチと対向して前記前面板箇所に設けられる装着孔部と、この装着孔部に挿通され前記回路基板上の前記押釦スイッチに伝達する操作軸部を備えた柔軟性を有する押釦操作部材と、前記押釦操作部材の押圧操作側である前記操作軸部の周縁から一体に設けられた第１のフランジ部と、前記第１のフランジ部より前記押釦スイッチ側である前記操作軸部の周縁から一体に設けられた第２のフランジ部と、前記第１，第２のフランジ部の外郭周縁挟着部箇所を前記前面板に押し付けて挟持する抑え部材と、からなることを特徴とする押圧操作装置である。
【０００８】
このように構成することにより、雨水などが晒されるという厳しい環境条件化にあったとしても、外部に晒されやすい第１のフランジ部（第１の障壁部）にクラックが生じたとしても、第２のフランジ部（第２の障壁部）が設けられているため、ケース内に雨水などの液体が浸入することを防ぐことができるものであり、第１，第２のフランジ部の外郭周縁挟着部箇所が抑え部材を介して前面板との間にて水密状態を保ちながら挟着保持することによって簡単に組み付け保持されるものであり、組み付け作業効率を維持しつつ、耐防水性の効果を従来に比して高めることが可能となる。
【０００９】
また請求項２では、請求項１に記載の押圧操作装置において、前記第１のフランジ部と前記第２のフランジ部とが重ねて挟持される外郭周縁挟着部箇所の外周を取り巻くように、環状からなる押圧規整部を配設してなることを特徴とするものである。
【００１０】
このように構成することにより、第１のフランジ部と第２のフランジ部とが重ねて挟持される外郭周縁挟着部箇所の圧縮度合いを環状からなる押圧規整部によって設定することができ、防水効果を良好に保つことが可能となる。
【００１１】
また請求項３では、請求項２に記載の押圧操作装置において、前記押圧規整部は、前記前面板または前記抑え部材の少なくとも一方に設けてなることを特徴とするものである。
【００１２】
このように構成することにより、第１，第２のフランジ部の外郭周縁挟着部箇所を抑え部材によって前面板に挟着保持すると同時に、押圧規整部によって所定の圧縮度合いを設定することができ、防水性を維持することができる。
【００１３】
また請求項４では、請求項１から請求項３のいずれかに記載の押圧操作装置において、前記第１，第２のフランジ部の外郭周縁挟着部を挟持する前記前面板箇所および前記抑え部材箇所とにそれぞれ環状突部を設けてなることを特徴とするものである。
【００１４】
このように構成することにより、各フランジ部の外郭周縁挟着部箇所に環状突部が部分的に食い込んで押圧するため、さらなる耐防水性の効果を期待することができる。
【００１５】
また請求項５では、請求項１から請求項３のいずれかに記載の押圧操作装置において、前記第１，第２のフランジ部の外郭周縁挟着部箇所にそれぞれ環状リブを設けてなることを特徴とするものである。
【００１６】
このように構成することにより、環状リブによって圧縮状態を部分的に高めることが可能となり、密封性を良好に保つことができる。
【発明の効果】
【００１７】
本発明では、ケースと、このケースの上面側を覆う前面板と、前記ケース内に収納される回路基板と、この回路基板上に取り付けられる押釦スイッチと、この押釦スイッチと対向して前記前面板箇所に設けられる装着孔部と、この装着孔部に挿通され前記回路基板上の前記押釦スイッチに伝達する操作軸部を備えた柔軟性を有する押釦操作部材と、前記押釦操作部材の押圧操作側である前記操作軸部の周縁から一体に設けられた第１のフランジ部と、前記第１のフランジ部より前記押釦スイッチ側である前記操作軸部の周縁から一体に設けられた第２のフランジ部と、前記第１，第２のフランジ部の外郭周縁挟着部箇所を前記前面板に押し付けて水密に挟持する抑え部材と、からなることを特徴とする押圧操作装置であるため、雨水などが晒されるという厳しい環境条件化にあったとしても、外部に晒されやすい第１のフランジ部（第１の障壁部）にクラックが生じたとしても、第２のフランジ部（第２の障壁部）が設けられているために、ケース内に雨水などの液体が浸入することを防ぐことができるものであり、第１，第２のフランジ部の外郭周縁挟着部箇所を抑え部材を介して前面板との間にて水密状態を保ちながら挟着保持することによって簡単に組み付け保持することができ、組み付け作業効率を維持しつつ、耐防水性の効果を高めることが可能となるものであり、これにより初期の目的を達成することができる。
【発明を実施するための最良の形態】
【００１８】
本発明の対象とする押圧操作装置として、外部雰囲気に晒されるオートバイ用の計器装置などにおいて、計器装置のメータケース内に組み付けられる表示器、たとえば時計や走行距離を表示するオドメータ、トリップメータなどの表示器の表示状態である時計の表示修正やオド・トリップなどの切り換え表示などを行う押圧操作装置を例にして詳述する。以下本発明の実施形態を添付図面に基づいて説明する。図１から図４は本発明の第１実施形態を示すもので、オートバイのメータなどを収容するケース１内に回路基板２が配設され、この回路基板２に液晶などからなる表示器３や図示しない回路部品などが組み付けられており、この回路基板２にはさらに前記表示器３の表示切り替え、表示器３の表示値の修正などを行う押釦スイッチ４が組み付けられている。
【００１９】
また、合成樹脂製のケース１の上面側を覆って合成樹脂からなる上ケースを兼ねた前面板５が設けられており、この前面板５には、前記表示器３などを視認するために透明な樹脂板からなるカバーガラス６がインサート成型などの手段によって一体成形されて設けられているとともに、前記押釦スイッチ４と対向する不透光性の前面板５箇所には開口部（装着孔部）７が設けられている。
【００２０】
また、前記前面板５の開口部７には合成ゴムなどの弾性部材からなる押釦操作部材８が設けられており、押釦操作部材８を押圧操作することによって回路基板２上に取り付け固定された前記押釦スイッチ４が押釦操作部材８に備え付けられた操作軸部９を介して押圧作動されるように形成されている。
【００２１】
この場合、前記押釦操作部材８には、前記押釦スイッチ４を押圧作動するための前記操作軸部９が設けられるとともに、この操作軸部９の周縁から一体に取付固定のための第１のフランジ部１０と第２のフランジ部１１とがそれぞれ設けられている。前記第１のフランジ部１０は、前記押釦操作部材８の押圧操作側である前記操作軸部９の周縁から一体に設けられており、また第２のフランジ部１１は、前記第１のフランジ部１０より押釦スイッチ４側に位置して所定の間隔を隔てて前記操作軸部９の周縁から一体に設けられている。
【００２２】
また前記押釦操作部材８の背後側に位置して、合成樹脂材料からなる抑え部材１２が配設されており、この抑え部材１２は前記操作軸部９を挿通可能とし、かつ押さえ部材１２の外周部分にて前記第１，第２のフランジ部１０，１１の外郭周縁挟着部１０Ａ，１１Ａ箇所を前記前面板５に押し付けて水密に挟持するように構成しており、加えて押釦操作部材８の背後側に位置するように抑え部材１２を配設することによって押釦操作部材８の押動ストロークが設定されるものであり、押釦スイッチ４へ加わりやすい過大な負荷を軽減することができるように設けられている。
【００２３】
また、前記押釦操作部材８の操作軸部９の周縁から一体に設けられた第１のフランジ部１０と第２のフランジ部１１との外郭周縁挟着部１０Ａ，１１Ａ箇所を同時に前面板５と抑え部材１２との間に挟み付けて保持することにより、押釦操作部材８が前面板５側に確実に固定保持されるものであり、この第１の実施形態では前面板５の開口部７位置に押釦操作部材８をセットし、次いで抑え部材１２を宛ってその抑え部材１２と前面板５とを超音波溶着によって固定保持すると同時に、押釦操作部材８の各フランジ部１０，１１に設けられた外郭周縁挟着部１０Ａ，１１Ａ箇所が前面板５と抑え部材１２との間に水密状態を保ちながら挟着保持される。
【００２４】
この際、前記第１のフランジ部１０と前記第２のフランジ部１１とが重ねて挟持される外郭周縁挟着部１０Ａ、１１Ａ箇所の外周を取り巻くように、環状からなる押圧規整部１３を前面板５から一体に配設し、第１のフランジ部１０と第２のフランジ部１１とが重ねて挟持されるそれぞれの外郭周縁挟着部１０Ａ，１１Ａ箇所の圧縮度合いを環状からなる押圧規整部１３の高さ寸法を設定することによって防水効果が良好に保つように設けている。
【００２５】
また前記第１，第２のフランジ部１０，１１の外郭周縁挟着部１０Ａ，１１Ａを挟持する前記前面板５箇所および前記抑え部材１２箇所とにそれぞれ環状突部１４，１５を設けている。
【００２６】
このように構成された第１の実施形態における押圧操作装置においては、押釦操作部材８の操作軸部９を押圧操作することによって、回路基板２上に取り付け固定された押釦スイッチ４が押釦操作部材８に備え付けられた操作軸部９を介して押圧作動され、たとえば時計や走行距離を表示するオドメータ、トリップメータなどの表示器３の表示状態である時計の表示修正やオド・トリップなどの切り換え表示が行われる。
【００２７】
また上述した構成からなる第１の実施形態による押圧操作装置にあっては、押釦操作部材８の操作軸部９の周縁から一体に設けられた第１のフランジ部１０と第２のフランジ部１１との外郭周縁挟着部１０Ａ，１１Ａ箇所を同時に前面板５と抑え部材１２との間に挟み付けて保持することにより、押釦操作部材８が前面板５側に簡単にかつ確実に固定保持することができるものであり、この固定保持と同時に、押釦操作部材８の各フランジ部１０，１１に設けられた外郭周縁挟着部１０Ａ，１１Ａ箇所が前面板５と抑え部材１２との間に水密状態を保ちながら挟着保持される。
【００２８】
この際、雨水などが晒されるという厳しい環境条件化にあったとしても、外部に晒されやすい前面板５側に配設される第１の障壁部である第１のフランジ部１０にクラック（亀裂）が生じたとしても、第２の障壁部となる第２のフランジ部１１が設けられているため、ケース１内に雨水などの液体が浸入することを未然に防ぐことができるものであり、耐防水性の効果を従来に比して高めることが可能となる。
【００２９】
また、第１のフランジ部１０と第２のフランジ部１１とが重ねて挟持される外郭周縁挟着部１０Ａ、１１Ａ箇所の外周を取り巻くように、環状からなる押圧規整部１３を前面板５から一体に配設してなることにより、第１のフランジ部１０と第２のフランジ部１１とが重ねて挟持されるそれぞれの外郭周縁挟着部１０Ａ，１１Ａ箇所の圧縮度合いを環状からなる押圧規整部１３の高さ寸法を設定することによって簡単に設定することができ、防水効果を良好に保つことができる。この場合、押釦操作部材８の材料や硬さあるいは各フランジ部１０，１１の外郭周縁挟着部１０Ａ，１１Ａ箇所の幅寸法や高さ寸法などによって圧縮度合いを設定すればよいものである。
【００３０】
また第１，第２のフランジ部１０，１１の外郭周縁挟着部１０Ａ，１１Ａを挟持する前面板５箇所および抑え部材１２箇所とにそれぞれ環状突部１４，１５を設けてなることにより、各フランジ部１０，１１の上下に面した外郭周縁挟着部１０Ａ，１１Ａ箇所に環状突部１４，１５が部分的に食い込んで押圧するため、水密状態を良好に保つことができ、さらなる耐防水性の効果を期待することができる。
【００３１】
また、図５および図６は、本発明の第２の実施形態を示すものであり、図５は、計器装置における押圧操作装置を示す要部の断面図であり、図６は、図５の分解状態を示す要部の断面図である。
【００３２】
ここでは、前述した第１の実施形態と同様にして、オートバイのメータなどを収容するケース１内に回路基板２が配設され、この回路基板２に液晶などからなる表示器３や図示しない回路部品などが組み付けられており、この回路基板２にはさらに前記表示器３の表示切り替え、表示器３の表示値の修正などを行う押釦スイッチ４が組み付けられている。
【００３３】
また、合成樹脂製のケース１の上面側を覆って合成樹脂からなる上ケースを兼ねた前面板５が設けられており、この前面板５には、前記表示器３などを視認するために透明な樹脂板からなるカバーガラス６がインサート成型などの手段によって一体成形されており、前記押釦スイッチ４と対向する不透光性の前面板５箇所には後述する押釦操作部材８を組み付け保持するための装着孔部である開口部７が設けられている。
【００３４】
また、前記前面板５の開口部７には合成ゴムなどの弾性部材からなる押釦操作部材８が設けられており、押釦操作部材８を押圧操作することによって回路基板２上に取り付け固定された前記押釦スイッチ４が押釦操作部材８に備え付けられた操作軸部９を介して押圧作動されるように形成されている。
【００３５】
この場合、前記押釦操作部材８には、前記押釦スイッチ４を押圧作動するための前記操作軸部９が設けられるとともに、前述した第１の実施形態と同様にして操作軸部９の周縁から一体に取付固定のための第１のフランジ部１０と第２のフランジ部１１とがそれぞれ設けられている。前記第１のフランジ部１０は、前記押釦操作部材８の押圧操作側である前記操作軸部９の周縁から一体に設けられており、また第２のフランジ部１１は、前記第１のフランジ部１０より押釦スイッチ４側に位置して所定の間隔を隔てて前記操作軸部９の周縁から一体に設けられている。
【００３６】
また前記押釦操作部材８の背後側に位置して、合成樹脂材料からなる抑え部材１２が配設されており、この抑え部材１２は前記操作軸部９を挿通可能とし、かつ押さえ部材１２の外周部分にて前記第１，第２のフランジ部１０，１１の外郭周縁挟着部１０Ａ，１１Ａ箇所を前記前面板５に押し付けて水密に挟持するように構成しており、加えて押釦操作部材８の背後側に位置するように抑え部材１２を配設することによって押釦操作部材８の押動ストロークが設定されるものであり、押釦スイッチ４へ加わりやすい過大な負荷を軽減することができるように設けられている。
【００３７】
また、前記第１のフランジ部１０と前記第２のフランジ部１１とが重ねて挟持される外郭周縁挟着部１０Ａ、１１Ａ箇所の外周を取り巻くように、環状からなる押圧規整部１３Ａ、１３Ｂが前面板５と抑え部材１２とに一体に設けられ、第１のフランジ部１０と第２のフランジ部１１とが重ねて挟持されるそれぞれの外郭周縁挟着部１０Ａ，１１Ａ箇所の圧縮度合いを環状からなる押圧規整部１３Ａ，１３Ｂの高さ寸法を設定することによって防水効果を良好に保つことができるように設けている。
【００３８】
また、この第２の実施形態にあっては、前記第１のフランジ部１０の外郭周縁挟着部１０Ａ箇所の上面側に環状リブ１０Ｂが一体に隆起して設けられており、また第２のフランジ部１１の外郭周縁挟着部１１Ａ箇所の下面側に環状リブ１１Ｂが一体に隆起して設けられている。
【００３９】
上記構成からなる第２の実施形態による押圧操作装置にあっては、前述した第１の実施形態と同様にして、雨水などが晒されるという厳しい環境条件化にあったとしても、外部に晒されやすい前面板５側に配設される第１の障壁部である第１のフランジ部１０にクラック（亀裂）が生じたとしても、第２の障壁部となる第２のフランジ部１１が設けられているため、ケース１内に雨水などの液体が浸入することを未然に防ぐことができるものであり、耐防水性の効果を従来に比して高めることが可能となる。
【００４０】
また、第１のフランジ部１０と第２のフランジ部１１とが重ねて挟持される外郭周縁挟着部１０Ａ、１１Ａ箇所の外周を取り巻くように、環状からなる押圧規整部１３Ａ，１３Ｂが前面板５と抑え部材１２とからそれぞれ一体に突き合わせ状態にて設けられ、第１のフランジ部１０と第２のフランジ部１１とが重ねて挟持されるそれぞれの外郭周縁挟着部１０Ａ，１１Ａ箇所の圧縮度合いを前面板５と抑え部材１２とに設けられた環状からなる押圧規整部１３Ａ，１３Ｂの高さ寸法を設定することによって簡単に設定することができ、防水効果を良好に保つことができる。この場合、合成ゴムなどの材料からなる押釦操作部材８の硬さや成分あるいは各フランジ部１０，１１の外郭周縁挟着部１０Ａ，１１Ａ箇所の幅寸法や高さ寸法などによって圧縮度合いを設定すればよいものである。
【００４１】
また第１のフランジ部１０の外郭周縁挟着部１０Ａ箇所の上面側に環状リブ１０Ｂを一体に隆起して設け、また第２のフランジ部１１の外郭周縁挟着部１１Ａ箇所の下面側に環状リブ１１Ｂを一体に隆起して設けてなることにより、前面板５と抑え部材１２とによって挟着保持されるそれぞれのフランジ部１０，１１の圧縮状態を前記環状リブ１０Ｂ，１１Ｂによって部分的に圧縮状態を高めることができ、密封性を良好に保つことができる。
【００４２】
なお本発明は、前述した実施例に限定されるものではなく本発明の要旨の範囲内において種々の変形実施が可能である。たとえば、各実施形態においては、押釦操作部材８の背後側に位置して、合成樹脂材料からなる抑え部材１２を配設し、この抑え部材１２は操作軸部９を挿通可能とし、かつ押さえ部材１２の外周部分にて第１，第２のフランジ部１０，１１の外郭周縁挟着部１０Ａ，１１Ａ箇所を上ケースを兼ねた前記前面板５に押し付けて水密に挟持するように構成していたが、抑え部材１２として上ケースを兼ねた前面板５の背後に配設される計器ケースの見返し板によって形成しても良いものであり、この場合、見返し板によって第１，第２のフランジ部１０，１１の外郭周縁挟着部１０Ａ，１１Ａ箇所を前面板５側に押し付けて保持することによって水密に保ちながら挟着保持することができるものであれば良い。
【００４３】
また、第１のフランジ部１０と第２のフランジ部１１とが重ねて挟持される外郭周縁挟着部１０Ａ、１１Ａ箇所の外周を取り巻くように、前面板５や抑え部材１２の少なくとの一方に、環状からなる押圧規整部１３，１３Ａ，１３Ｂを設けてなることにより、第１のフランジ部１０と第２のフランジ部１１とが重ねて挟持されるそれぞれの外郭周縁挟着部１０Ａ，１１Ａ箇所の圧縮度合いを環状からなる押圧規整部１３の高さ寸法を設定することによって簡単に設定することができ、防水効果を良好に保つことができるものであり、この場合、押釦操作部材８の材料や硬さあるいは各フランジ部１０，１１の外郭周縁挟着部１０Ａ，１１Ａ箇所の幅寸法や高さ寸法などによって圧縮度合いを設定すれば良いものである。なお、押釦スイッチ４構造としてタクトスイッチを例にして説明したが、導電ゴムからなる押釦スイッチ構造であっても同様の効果を得ることが可能である。
【図面の簡単な説明】
【００４４】
【図１】図１は、本発明の第１実施形態である計器装置における押圧操作装置を示す断面図。
【図２】図２は、図１の押圧操作装置を示す要部の断面図。
【図３】図３は、図２の押圧操作装置の作動状態を示した断面図。
【図４】図４は、図２の押圧操作装置の分解状態を示した断面図。
【図５】図５は、本発明の第２実施形態である押圧操作装置を示す断面図。
【図６】図６は、図５の押圧操作装置の分解状態を示した断面図。
【図７】図７は、従来例の押圧操作装置を示す断面図。
【図８】図８は、他の従来例の押圧操作装置を示す断面図。
【符号の説明】
【００４５】
１    ケース
２    回路基板
３    表示器
４    押釦スイッチ
５    前面板
６    カバーガラス
７    開口部（装着孔部）
８    押釦操作部材
９    操作軸部
１０    第１のフランジ部
１０Ａ    外郭周縁挟着部
１０Ｂ    環状リブ
１１    第２のフランジ部
１１Ａ    外郭周縁挟着部
１１Ｂ    環状リブ
１２    抑え部材
１３，１３Ａ，１３Ｂ    押圧規整部
１４，１５    環状突部
【図１】
2008226469.tif 000003
【図２】
2008226469.tif 000004
【図３】
2008226469.tif 000005
【図４】
2008226469.tif 000006
【図５】
2008226469.tif 000007
【図６】
2008226469.tif 000008
【図７】
2008226469.tif 000009
【図８】
2008226469.tif 000010